(57)【要約】【課題】表札、照明灯、郵便ポスト、インターホン等の門柱に装着する付加物を上下左右方向の任意位置に取付可能となされた門柱を提供する。【解決手段】左右に間隔をおいて立設された支柱１に支持されて、多数の縦線材２１と横線材２２とからなる格子体２がその間に空間部２５を設けて前後に配置され、前側に配置された前格子体２ａの縦線材２１又は横線材２２に第一の付加物３が取付けられ、前格子体２ａと後側に配置された後格子体２ｂとの間に前記空間部２５を通過して第二の付加物４が架設されるように配置すれば、前格子体２ａに取付ける第一の付加物３及び、前後格子体２の間に架設する第二の付加物４を、格子体２の任意の位置にそれぞれ取付けることができる。【選択図】  図１
2010222861.tif 000002
【特許請求の範囲】
【請求項１】
左右に間隔をおいて立設された支柱に支持されて、多数の縦線材と横線材とからなる格子体がその間に空間部を設けて前後に配置され、前側に配置された前格子体の縦線材又は横線材に第一の付加物が取付けられ、前格子体と後側に配置された後格子体との間に前記空間部を通過して第二の付加物が架設されていることを特徴とする門柱。
【発明の詳細な説明】
【技術分野】
【０００１】
本発明は、住宅等の外構に設けられる門柱に関するものである。
【背景技術】
【０００２】
一般に、住宅等の外構に設けられる門柱において、既製門柱を現場で埋設する場合は、ブロック材等を現地で施工する場合に比べて、材料費、施工費を比較的安くできるが、表札、照明灯、郵便ポスト、インターホン等の付加物を門柱に取付ける場合に付加物の取付場所やその種類、形態は画一的なものになりやすく、住人としては、付加物の選択の幅が狭められることになる。
【０００３】
例えば、特許文献１には、所定間隔をおいて立設した一対の中空支柱において、該中空支柱の両者の対向内壁には、その前縁に沿って面材嵌め溝が支柱の上下方向に連続形成され、該両面材嵌め溝間に嵌着されたパネル等によって前面が略面一となされた組立門柱が提案されており、このパネルとして、平板、金網張り枠、表札ユニット、照明ユニット等が挙げられている。
【先行技術文献】
【特許文献】
【０００４】
【特許文献１】実開昭６３−１０８９９８号公報
【発明の概要】
【発明が解決しようとする課題】
【０００５】
しかしながら、前記の組立門柱は、両面材嵌め溝間にパネルとして金網張り枠、表札ユニット、照明ユニット等を嵌着させる場合、上下方向の配置の組合せに限られるものであり、又、中空支柱の間に郵便受け等の付加物を配設する場合には、これら付加物を支持する支持台や、上記のパネルとの連結部材等が別途必要となり、施工作業が煩わしいものであった。
【０００６】
本発明は、前記の如き問題点を解消し、表札、照明灯、郵便ポスト、インターホン等の門柱に取付ける付加物を上下左右の任意の位置に取付可能となされた門柱を提供せんとするものである。
【課題を解決するための手段】
【０００７】
上記目的を達成するために、本発明は次のような構成としている。
すなわちこの発明に係る門柱は、左右に間隔をおいて立設された支柱に支持されて、多数の縦線材と横線材とからなる格子体がその間に空間部を設けて前後に配置され、前側に配置された前格子体の縦線材又は横線材に第一の付加物が取付けられ、前格子体と後側に配置された後格子体との間に前記空間部を通過して第二の付加物が架設されていることを特徴とするものである。
【発明の効果】
【０００８】
本発明によれば、前格子体の縦線材又は横線材に第一の付加物が取付けられ、前格子体と後後格子体との間に空間部を通過して第二の付加物が架設されるようになされているので、第一の付加物及び第二の付加物の何れも格子体の任意の位置に取付けることが可能となり、住人の要望に応じて、門柱の施工時に格子体の任意の位置に表札や郵便ポスト等の付加物を取付けることができる。
【図面の簡単な説明】
【０００９】
【図１】本発明に係る門柱の第１の実施形態を示す正面図である。
【図２】図１の主要部の平面図である。
【図３】図１の説明図である。
【図４】図１の主要部の説明図である。
【図５】図４の拡大説明図である。
【図６】本発明に係る門柱の変形を示す正面図である。
【図７】本発明に係る門柱の別の変形を示す正面図である。
【発明を実施するための形態】
【００１０】
次に、本発明を実施するための最良の形態について図面を参照し、具体的に説明する。
【００１１】
図１において、１は立設された支柱、２は支柱１に取付けられる格子体であって、本発明に係る門柱は、これら支柱１と格子体２とから構成され、そしてこの格子体２に第一の付加物３と第二の付加物４とが取付けられている。支柱１は、一般には、強度的に安定しておりコストの安い丸パイプ、角パイプ等の鋼管や、断面Ｈ字状やＴ字状の鋼材が好適に用いられるが、ステンレス合金やアルミニウム合金等の他の金属から形成されたものでもよい。かかる支柱１は、左右に間隔をおいて立設されると共に、支柱１の間に格子体２が支持され配置されている。
【００１２】
格子体２は、多数の縦線材２１と横線材２２とが格子状に配置されると共に、縦線材２１と横線材２２とが交叉する交叉部２３において接合されたものである。本実施形態では、縦線材２１及び横線材２２は、強度的に安定しておりコストの安い鋼線が好適に用いられるが、ステンレス合金アルミニウム合金などの他の金属からなる線材を用いてもよい。又、格子体２の交叉部２３は熔接により接合されているが、クリップ等の接合具を用いて交叉部２３を接合するものでもよい。更に、縦線材２１及び横線材２２の耐食性や耐候性を高めるために金属めっきや塗装が施されてもよい。
【００１３】
格子体２は、本実施形態では、図２に示すように、多数の縦線材２１と横線材２２とからなる格子状の面部の両側端部が同じ方向に折曲された折曲部２４が形成されて、平面視コ字状を呈している。そして、前記折曲部２４が支柱１の側面に対向配置され、後記する取付金具５によって、折曲部２４の横線材２２が支柱１に固定されている。これにより、格子体２の剛性を高ることができ、又、取付金具５が門扉Ｐの側面側に配置されることになるので、門柱Ｐの前側からは取付金具５が目立ちにくく、意匠性を高めることができる。
【００１４】
図３は、本実施形態に係る門扉Ｐにおいて支柱１と格子体２との取付構造の説明図であり、（ａ）は側面図、（ｂ）は（ａ）の部分拡大図、（ｃ）は（ｂ）のＡ−Ａ断面図である。取付金具５は、本実施形態では、先端に折返し部５１が形成されたＪ字状のボルトが使用され、支柱１の側面に対向配置された折曲部２４の横線材２２を折返し部５１に係止すると共に、支柱１の左右側面を貫通した棒状の螺子部５２にナットＮを締め付けることによって、折返し部５１と支柱１との間に前記横線材２２が固定される。取付金具５の他の形態としては、支柱１の１の外側面に上方に向けて開口する縦断面Ｕ字状を呈するフック等の係止部材を取付けた形態を挙げることができる。
【００１５】
かかる格子体２は、前後に間隔をおいて２個配置され、そして前側に配置された前格子体２ａと後側に配置された後格子体２ｂとの間に形成された空間部２５の左右端にそれぞれ立設された支柱１に対して取付金具５を介して取付けられている。
【００１６】
このように支柱１の前後に格子体２を配置することにより、植物を格子体２に伝わせて門扉Ｐを被緑させることができる。又、植物が生長する際に日照や通風性を確保しやすいので、植物を地植えにする場合は、門柱Ｐの内部或いは外部の何れからでも生育させることができる。そして、格子体２には、小物雑貨、電飾イルミネーション、しめ縄、植木鉢等を任意の位置に後から引っ掛けたり、取付けたりすることができるので、装飾性を高めることができる。
【００１７】
加えて、図１に示すように、門柱Ｐの側方に格子状のフェンス体を備えたフェンスＦを設置することによって、景観上の統一性を図ることができる。尚、フェンスＦは門柱Ｐと直結される方が景観上望ましいが、図１に示すように、門柱Ｐの格子体２の施工上必要な場合等、必要に応じてフェンスＦと門柱Ｐとの間に隙間を設けてもよい。
【００１８】
かかる格子体２には、前格子体２ａの縦線材２１又は横線材２２に第一の付加物３が取付けられ、そして前格子体２ａと後格子体２ｂとの間には空間部２５を通過して第二の付加物４が架設されている。
【００１９】
先ず、第一の付加物３は、一般には、表札３ａ、照明灯３ｂ、インターホン３ｃ等であり、前格子体２ａの前面部に取付けられて機能を発現するものである。第一の付加物３の取付方法は、本実施形態では、図２に示すように、第一の付加物３の後部に取付部材３１を取付け、取付部材３１を前格子体２ａの任意の位置に配置し、前格子体２ａの縦線材２１或いは横線材２２の少なくとも一方を挟んだ後ろに固定部材３２を配置する。そしてボルト等の締結部材３３により取付部材３１と固定部材３２とを締結することによって、第一の付加物３を前格子体２の前面部の任意の位置に取付ける。尚、第一の付加物３の取付数は、本実施形態では３個であるが、必要に応じて任意の取付個数を設定することができる。
【００２０】
前後の格子体２の間には空間部２５が形成されているので、インターホン３ｃ等の配線Ｈを空間部２５に配置することができ、又修理や取替え等の作業が容易となる。
【００２１】
第一の付加物３の他の取付構造としては、取付部材３１を用いず、第一の付加物３の後ろに縦線材２１又は横線材２２を挟んで固定部材３２を配置し、締結部材３３で第一の付加物３と固定部材３２とを締結した形態や、粘着材、粘着テープ等を用いた形態等を挙げることができる。
【００２２】
次に、第二の付加物４は、郵便ポスト４ａ等の門柱Ｐの前側から荷物入れて門柱Ｐの後方からその荷物を取り出すものである。第二の付加物４の取付構造は、図４の（ａ）、（ｂ）に示すように、第二の付加物４の外形に合わせて、前後の格子体２に挿通部２６を設け、（ｃ）に示すように、この前後の挿通部２６に第二の付加物４を通して架設させるものである。これにより、任意の位置に挿通部２６を設けて第二の付加物４を取付けることができる。尚、第二の付加物４の取付数は、本実施形態では１個であるが、必要に応じて任意の取付個数を設定することができる。
【００２３】
本実施形態のように、格子体２の縦線材２１及び横線材２２に囲まれた矩形の格子空間より第二の付加物４の外形が大きい場合は、第二の付加物４の外形に合わせ縦線材２１及び横線材２２を切断して切り欠かれた挿通部２６を設けるようにすれば、この挿通部２６を通して架設させた第二の付加物４において、上下左右方向の移動が規制され、第二の付加物４は安定した取付状態となる。
【００２４】
尚、前記の格子空間より第二の付加物４の外形が小さい場合は、前記と同様に第二の付加物４の外形に合わせ縦線材２１及び横線材２２を切断して挿通部２６を設けてもよいが、第二の付加物４を前後の格子体２の格子空間に挿通させて格子体２の間に架設させてもよい。
【００２５】
かかる第二の付加物４は、本実施形態では、固定金具６を介して支柱１に固定されている。図５は、支柱１と第二の付加物４との接合構造を示すものであり、（ａ）は拡大正面図、（ｂ）は（ａ）のＢ−Ｂ断面図、（ｃ）は（ａ）のＣ−Ｃ断面図である。支柱１には、上固定金具６１と下固定金具６２とが取付けられ、これら上下の固定金具６を介して支柱１に第二の付加物４が固定されている。
【００２６】
上固定金具６１は、支柱１の前面に沿って配置される前板部６３と該前板部６３の一方の側端部から第二の付加物４の側面に沿って配置される側板部６４とからなる平面視Ｌ字状を呈している。この側板部６４に形成された透孔６４ａから固定ボルトＢ１を挿入して第二の付加物４の側部に螺入させて、上固定金具６１を第二の付加物４に固定し、そして、前板部６３に形成された縦長孔６３ａから固定ボルトＢ２を挿入し支柱１に螺入させて、第一の付加物４を支柱１に固定する。
【００２７】
又、下固定金具６２は、支柱１の前面に沿って配置される前板部６５と前板部６５の上端部から直角に配置される上板部６６とからなる側面視Ｌ字状を呈している。この上板部６６に形成された透孔６６ａから固定ボルトＢ３を挿入して第二の付加物４の底部に螺入させて、下固定金具６２を第二の付加物４に固定し、そして、前板部６５に形成された縦長孔６５ａから固定ボルトＢ４を挿入し支柱１に螺入させて、第一の付加物４を支柱１に固定する。
【００２８】
これらの構造により、第二の付加物４の前後方向の移動が規制され、より安定した取付状態となり、加えて、第二の付加物４の上下方向や左右方向に対して、より安定した取付状態となり好ましい。尚、上固定金具６１や下固定金具６２の一方のみを用いたい形態でもよく、前記固定金具６を複数組み合わせて用いた形態でもよい。
【００２９】
図６は、本発明に係る門柱Ｐの変形を示す正面図であり、図１の門柱Ｐと比べて、格子体２の下端部と地表との間にプランター等が配置される隙間Ｓが設けられたものであり、他は同様な形態である。この格子体２は、図１に示すように、例えば、格子体２の下部を切除して隙間Ｓを設けたものでもよく、図示していないが、格子体２を上方にずらして取付けて、前記プランター等が配置される隙間Ｓを設けたものでもよい。
【００３０】
図７は、本発明に係る門柱Ｐの変形を示す正面図であり、図１の門柱Ｐと比べて、格子体２の形態が異なると共に、格子体２を支柱１に取付けるための取付金具５が、支柱１の前後面部に取付けられている点が異なるのみであり、他は同様な形態である。
【００３１】
すなわち、格子体２の前格子体２ａの形態は、門柱Ｐの側方に設置されたフェンスＦのフェンス体Ｆ１と比べて横幅が異なるのみの同形状であり、前格子体２ａの前後位置と、フェンス体Ｆ１の前後位置とが一致するように配置されると共に、支柱１の前面側に取付金具５を介して取付けられている。これにより、景観上の統一性を更に図ることができる。
【符号の説明】
【００３２】
１    支柱
２    格子体
２ａ  前格子体
２ｂ  後格子体
２１  縦線材
２２  横線材
２３  交叉部
２４  折曲部
２５  空間部
２６  挿通部
３、３ａ、３ｂ、３ｃ  第一の付加物
４、４ａ  第二の付加物
５    取付金具
６    固定金具
Ｆ    フェンス
Ｆ１  フェンス体
Ｐ    門柱
【図１】
2010222861.tif 000003
【図２】
2010222861.tif 000004
【図３】
2010222861.tif 000005
【図４】
2010222861.tif 000006
【図５】
2010222861.tif 000007
【図６】
2010222861.tif 000008
【図７】
2010222861.tif 000009